(57)【要約】      （修正有） 【課題】子供の月齢が腰が据わる６か月から最大でも４８か月の乳幼児をベビーカーに乗せ、子供を乗せたベビーカーを自転車に載せて目的地まで安全に移動することができる自転車用ベビーカー載せ台を提供する。【解決手段】リヤキャリアが取付けられていない自転車の後輪の左右両側に配置される自転車用ベビーカー載せ台であって、自転車用ベビーカー載せ台は、ベビーカーの左又は右側の前輪及び後輪を載置する底面部１と、底面部１の周縁より上方に立ち上がる側壁部３とからなり、側壁部３には自転車の後輪ハブ軸及びフレームに固定するための固定板を取付ける取付部４が設けられ、底面部１が水平に設けられる。【選択図】図１
0003198356.tif 000002
【実用新案登録請求の範囲】
【請求項１】
リヤキャリアが取付けられていない自転車の後輪の左右両側に配置される自転車用ベビーカー載せ台であって、前記自転車用ベビーカー載せ台は、ベビーカーの左又は右側の前輪及び後輪を載置する底面部と、前記底面部の周縁より上方に立ち上がる側壁部とからなり、前記側壁部には自転車の後輪ハブ軸及びフレームに固定するための固定板を取付ける取付部が設けられることを特徴とする自転車用ベビーカー載せ台。
【請求項２】
前記底面部又は前記側壁部には、ベビーカーの車輪又は車輪近傍のフレームを固定するための固定構造を設けることを特徴とする請求項１に記載の自転車用ベビーカー載せ台。
【請求項３】
前記固定構造は、ベビーカーの前輪及び後輪が載置される前記底面部又は前記車輪近傍の前記側壁部のどちらか一方もしくは両方に形成される凹部であることを特徴とする請求項２に記載の自転車用ベビーカー載せ台。
【請求項４】
前記固定構造は、前記底面部又は前記側壁部のどちらか一方もしくは両方に固定ベルト又は固定ロープを貫通する貫通孔であることを特徴とする請求項２に記載の自転車用ベビーカー載せ台。
【請求項５】
前記底面部、前記側壁部及び前記自転車の後輪ハブ軸及びフレームに固定するための固定板は、樹脂等の一体成型品であることを特徴とする請求項１から４のいずれかに記載の自転車用ベビーカー載せ台。
【考案の詳細な説明】
【技術分野】
【０００１】
本考案は、リヤキャリアが取付けられていない自転車の後輪の左右両側に配置され、子供を乗せたベビーカーを自転車に載せることができる自転車用ベビーカー載せ台に関する。
【背景技術】
【０００２】
従来、子供を連れて近くの目的地に移動する際に、子供の月齢が生後１か月又は腰が据わる６か月から最大でも４８か月の乳幼児の場合には、ベビーカーに子供を乗せ、子供を乗せたベビーカーを押して徒歩で目的地まで移動していた。また、遠くの目的地に移動する際に、子供の月齢が生後１２か月以上で最大でも４８か月の幼児の場合には、幼児を自転車に同乗させるために用いる自転車用幼児座席を自転車のリヤキャリア等に設置し、自転車用幼児座席に子供を乗せて自転車で目的地まで移動していた。ところが、遠くの目的地で自転車の通行が制限されている場合は、目的地で貸出用のベビーカーがあればそれを使用し、貸出用のベビーカーがなければ子供を抱きかかえて歩いたり、子供を歩かせたりしていた。この問題を解決するための手段としては、子供用シートとしたキャリアメンバーに子供を乗せて自転車で目的地付近まで移動し、目的地では自転車のホイールベースを収縮してベビーカーに変換することができるコンバーチブル・サイクリング装置（特許文献１参照）が知られている。
【先行技術文献】
【特許文献】
【０００３】
【特許文献１】特表２００９−５２１３５２号公報
【考案の概要】
【考案が解決しようとする課題】
【０００４】
しかし、特許文献１に記載のコンバーチブル・サイクリング装置は、構造が複雑で重いためにホイールベースを収縮してベビーカーに変換することが難しく、また、変換してもベビーカーとしては大きすぎるという欠点があった。
【０００５】
本考案は、子供の月齢が腰が据わる６か月から最大でも４８か月の乳幼児をベビーカーに乗せ、子供を乗せたベビーカーを自転車に載せて目的地まで安全に移動することができる自転車用ベビーカー載せ台を提供することにある。
【課題を解決するための手段】
【０００６】
上記課題を解決するための手段として、リヤキャリアが取付けられていない自転車の後輪の左右両側に配置される自転車用ベビーカー載せ台であって、自転車用ベビーカー載せ台は、ベビーカーの左又は右側の前輪及び後輪を載置する底面部と、底面部の周縁より上方に立ち上がる側壁部とからなり、側壁部には自転車の後輪ハブ軸及びフレームに固定するための固定板を取付ける取付部が設けられる。  
【０００７】
底面部又は側壁部には、ベビーカーの車輪又は車輪近傍のフレームを固定するための固定構造を設けることもできる。
【０００８】
固定構造は、ベビーカーの前輪及び後輪が載置される底面部又は車輪近傍の側壁部のどちらか一方もしくは両方に形成される凹部であることもできる。
【０００９】
固定構造は、底面部又は側壁部のどちらか一方もしくは両方に固定ベルト又は固定ロープを貫通する貫通孔であることもできる。
【００１０】
底面部、側壁部及び自転車の後輪ハブ軸及びフレームに固定するための固定板は、樹脂等の一体成型品であることもできる。
【考案の効果】
【００１１】
本考案によれば、子供の月齢が腰が据わる６か月から最大でも４８か月の乳幼児をベビーカーに乗せ、子供を乗せたベビーカーを自転車に載せて目的地まで安全に移動することができる。
【図面の簡単な説明】
【００１２】
【図１】本考案の一実施形態として、自転車の後輪の左側に配置される自転車用ベビーカー載せ台を示す分解斜視図である。
【図２】図１の自転車用ベビーカー載せ台の組立斜視図である。
【図３】図２の自転車用ベビーカー載せ台を、自転車の後輪方向から見た組立斜視図である。
【図４】図２の自転車用ベビーカー載せ台を、リヤキャリアが取付けられていない後輪を小径に構成した低床自転車に取付け、ベビーカーを載せた状態の一部破断側面図である。
【考案を実施するための形態】
【００１３】
以下、本考案の実施の形態を図１から４に基づいて説明する。
図１は、自転車の後輪の左側に配置される自転車用ベビーカー載せ台を示す分解斜視図で、自転車用ベビーカー載せ台は、ベビーカーの左側の前輪及び後輪を載置する部分に凹部２を形成する底面部１と、底面部１の周縁より上方に立ち上がる側壁部３とからなり、側壁部３には、後輪ハブ軸固定板１０及びフレーム固定板１２を取り付ける取付部４と、ベビーカーの車輪又は車輪近傍のフレームを固定する固定ベルト８を挿通するベルト挿通長孔７とが設けられる。取付部４には、取付ボルト６を挿通する取付ボルト挿通孔５が形成される。後輪ハブ軸固定板１０は長尺形状の板材で、上側には取付ボルト６を挿通する取付ボルト挿通孔５が形成され、下端部には自転車の後輪ハブ軸を挿通するハブ軸挿通孔１１が形成される。フレーム固定板１２は長尺形状の板材で、上端部にはフレーム固定補助板１７を連結する連結ボルト１４を挿通する連結ボルト挿通孔１３が形成され、中間部より上側には取付ボルト６を挿通する取付ボルト挿通孔５が形成され、中間部より下側には固定ボルト１６を挿通する固定ボルト挿通孔１５が形成される。フレーム固定補助板１７は長尺状の板材で、中間部より上側には固定ボルト１６を挿通する固定ボルト挿通孔１５が形成され、中間部から下側にかけて連結ボルト１４を挿通する連結ボルト挿通長孔１８が形成される。固定板支持片１９は両端部が平坦で中央付近が略コの字形の板材で、両端部には固定ボルト１６を挿通する固定ボルト挿通孔１５が形成される。固定ベルト８は長尺形状のベルトで、固定ベルト８のそれぞれの先端を、側壁部３に並列に設けられる一対のベルト挿通長孔７に別々に側壁部３の外側から内側に挿通され、それぞれの先端には長さ調整の可能な一対のバックル９が装着される。
【００１４】
図２は、図１の自転車用ベビーカー載せ台の組立斜視図で、後輪ハブ軸固定板１０及びフレーム固定板１２は、取付部４、後輪ハブ軸固定板１０及びフレーム固定板１２の取付ボルト挿通孔５に取付ボルト６を挿通しナット２０で取付けられる。なお、底面部１、側壁部３、後輪ハブ軸固定板１０及びフレーム固定板１２は、樹脂等の一体成型品であることもできる。フレーム固定板１２とフレーム固定補助板１７は、フレーム固定板１２の連結ボルト挿通孔１３とフレーム固定補助板１７の連結ボルト挿通長孔１８に連結ボルト１４を挿通して連結し、連結角と連結長を自在にナット２０で取付けられ、フレーム固定板１２と固定板支持片１９は、固定板支持片１９の中央付近で自転車のフレームのチェーンステーを挟み込み、固定ボルト挿通孔１５に固定ボルト１６を挿通しナット２０で取付けられる。フレーム固定補助板１７と固定板支持片１９は、固定板支持片１９の中央付近で自転車のフレームのシートステーを挟み込み、固定ボルト挿通孔１５に固定ボルト１６を挿通しナット２０で取付けられる。固定ベルト８は、固定ベルト８のそれぞれの先端を側壁部３に並列に設けられる一対のベルト挿通長孔７に別々に側壁部３の外側から内側に挿通され、それぞれの先端には長さ調整可能なベビーカーの車輪又は車輪近傍のフレームを着脱自在に固定する一対のバックル９が装着される。図３は、図２の自転車用ベビーカー載せ台を、自転車の後輪方向から見た組立斜視図である。
【００１５】
図４は、図２の自転車用ベビーカー載せ台を、リヤキャリアが取付けられていない後輪を小径に構成した低床自転車に取付け、ベビーカーを載せた状態の一部破断側面図で、後輪ハブ軸固定板１０はハブ軸挿通孔１１に後輪ハブ軸を通して後輪ハブ軸固定ナットで固定され、フレーム固定板１２は固定板支持片１９の中央付近で自転車のフレームのチェーンステーを挟み込んで固定ボルト１６とナット２０で固定される。フレーム固定補助板１７は、フレーム固定板１２とフレーム固定補助板１７を連結した連結ボルト１４を自転車のフレームのシートステーに取付可能な連結角と連結長に調整し、固定板支持片１９の中央付近でシートステーを挟み込んで固定ボルト１６とナット２０で固定される。ベビーカーは、ベビーカーの車輪と車輪を支持している車輪近傍のフレームとの間に固定ベルト８を通して、一対のバックル９で固定される。なお、自転車の後輪の右側に配置される自転車用ベビーカー載せ台は、左側と左右対称に構成される。
【符号の説明】
【００１６】
１  底面部
２  凹部
３  側壁部
４  取付部
５  取付ボルト挿通孔
６  取付ボルト
７  ベルト挿通長孔
８  固定ベルト
９  バックル
１０  後輪ハブ軸固定板
１１  ハブ軸挿通孔  
１２  フレーム固定板
１３  連結ボルト挿通孔
１４  連結ボルト
１５  固定ボルト挿通孔
１６  固定ボルト
１７  フレーム固定補助板
１８  連結ボルト挿通長孔
１９  固定板支持片
２０  ナット
【図１】
0003198356.tif 000003
【図２】
0003198356.tif 000004
【図３】
0003198356.tif 000005
【図４】
0003198356.tif 000006
【手続補正書】
【提出日】平成27年3月3日(2015.3.3)
【手続補正１】
【補正対象書類名】実用新案登録請求の範囲
【補正対象項目名】全文
【補正方法】変更
【補正の内容】
【実用新案登録請求の範囲】
【請求項１】
リヤキャリアが取付けられていない自転車の後輪の左右両側に配置される自転車用ベビーカー載せ台であって、前記自転車用ベビーカー載せ台は、ベビーカーの左又は右側の前輪及び後輪を載置する底面部と、前記底面部の周縁より上方に立ち上がる側壁部とからなり、前記側壁部には自転車の後輪ハブ軸及びフレームに固定するための固定板を取付ける取付部が設けられ、底面部が水平に設けられたことを特徴とする自転車用ベビーカー載せ台。
【請求項２】
前記底面部又は前記側壁部には、ベビーカーの車輪又は車輪近傍のフレームを固定するための固定構造を設けることを特徴とする請求項１に記載の自転車用ベビーカー載せ台。
【請求項３】
前記固定構造は、ベビーカーの前輪及び後輪が載置される前記底面部又は前記車輪近傍の前記側壁部のどちらか一方もしくは両方に形成される凹部であることを特徴とする請求項２に記載の自転車用ベビーカー載せ台。
【請求項４】
前記固定構造は、前記底面部又は前記側壁部のどちらか一方もしくは両方に固定ベルト又は固定ロープを貫通する貫通孔であることを特徴とする請求項２又は３に記載の自転車用ベビーカー載せ台。
【請求項５】
前記底面部、前記側壁部及び前記自転車の後輪ハブ軸及びフレームに固定するための固定板は、樹脂等の一体成型品であることを特徴とする請求項１から４のいずれかに記載の自転車用ベビーカー載せ台。